(57)【特許請求の範囲】
【請求項１】
移動車両または作業機械に配置され、かつ無線通信可能な車両識別子と、その動作接続部に配置された警報ユニットと、移動ユニットに関連して配置され、かつ無線通信可能な個人識別子とを備える安全システムにおいて、
前記個人識別子は、エリア内の車両または作業機械を警告する警報デバイスを含み、
前記警報ユニットは、エリア内の移動ユニットを警告する警報装置を含み、
前記安全システムにおいて、
前記車両識別子および／または前記個人識別子は、前記車両識別子と前記個人識別子との間で送信される少なくとも１つの信号に基づいて、前記車両識別子と前記個人識別子との間の距離を決定するように構成され、
前記車両識別子は、前記車両識別子と前記個人識別子との間の決定された距離が、前記車両識別子に対して予め定められた閾値未満である場合に、前記警報装置を作動させるように構成され、
前記個人識別子は、前記車両識別子と前記個人識別子との間の決定された距離が、前記個人識別子に対して予め定められた閾値未満である場合に、前記警報デバイスを作動させるように構成され、
前記安全システムは、
無線通信可能な対向無線機をさらに備え、
前記対向無線機は球面信号をブロードキャストするように構成され、
前記個人識別子は、前記個人識別子と前記対向無線機との間で送信される少なくとも１つの信号に基づいて、前記個人識別子と前記対向無線機との間の距離を決定するように構成され、
前記個人識別子は、前記個人識別子と前記対向無線機との間の決定された距離が、前記対向無線機に対して予め定められた閾値未満である場合に、前記信号の送信および前記警報装置の作動を中断するように構成される安全システム。
【請求項２】
前記車両識別子および／または前記個人識別子は、前記車両識別子と前記個人識別子との間の信号伝搬時間を測定することにより、前記車両識別子と前記個人識別子との間の距離を決定するように構成される請求項１記載の安全システム。
【請求項３】
前記車両識別子は、車両または作業機械が走行中または移動中に連続的に信号をブロードキャストするように構成される請求項１または２の安全システム。
【請求項４】
前記移動ユニットは、車両、作業機械、または人を含む請求項１から請求項３のうちいずれか１項の安全システム。
【請求項５】
前記警報デバイスおよび／または警報装置は、照明要素および／または音要素を含む請求項１から請求項４のうちいずれか１項の安全システム。
【請求項６】
前記無線通信は直接見ることなしに信号伝達を可能にする請求項１から請求項５のうちいずれか１項の安全システム。
【請求項７】
無線通信可能なセンサをさらに備え、
前記安全システムにおいて、
前記車両識別子および／または前記センサは、前記車両識別子と前記センサとの間で送信される少なくとも１つの信号に基づいて、前記車両識別子と前記センサとの間の距離を決定するように構成され、
前記センサは、前記車両識別子と前記センサとの間の決定された距離が、前記センサに対して予め定められた閾値未満である場合に、ドアの開口部を作動させるように構成される請求項１から請求項６のうちいずれか１項の安全システム。
【請求項８】
無線通信可能な少なくとも３つの基地局をさらに備え、
前記安全システムは、
前記基地局と前記車両識別子および／または前記個人識別子との間で送信される少なくとも１つの信号に基づいて、前記車両識別子および／または前記個人識別子の位置データを決定するように構成される請求項１から請求項７のうちいずれか１項の安全システム。
【請求項９】
前記少なくとも１つの基地局は、前記車両識別子および／または前記個人識別子の前記位置データをサーバに送信するように構成される請求項８の安全システム。
【請求項１０】
前記個人識別子に設置され、無線通信可能な遠隔識別子および遠隔識別子の読み取り装置をさらに備え、
前記遠隔識別子は、前記遠隔識別子が前記遠隔識別子の読み取り装置に近づいたときに、ロックされたドアを開くように構成される請求項１から請求項９のうちいずか１項の安全システム。
【請求項１１】
前記遠隔識別子は、ＲＦＩＤタグであり、前記遠隔識別子の読み取り装置は、ＲＦＩＤ読み取り装置である請求項１０の安全システム。
【請求項１２】
前記車両識別子は、有線および／または無線接続を確立し、警報ユニット、個人識別子、対向無線機および前記センサのうちの少なくとも１つにデータを送信または受信するように構成された通信手段を含む請求項７の安全システム。
【請求項１３】
前記警報ユニットは、有線および／または無線接続を確立し、少なくとも１つの前記車両識別子にデータを送信または受信するように構成された通信手段を含む請求項１から請求項１２のうちいずれか１項の安全システム。
【請求項１４】
前記個人識別子は、無線通信を確立し、車両識別子、対向無線機、および遠隔識別子の読み取り装置のうち少なくとも１つにデータを送信または受信するように構成された通信手段を含む請求項１から請求項１３のうちいずれか１項の安全システム。
【請求項１５】
安全システムを作動させるための方法であって、
前記安全システムは、移動車両または作業機械に配置され、無線通信可能な車両識別子と、それと作動接続された警報ユニットと、移動ユニットに配置され、無線通信可能な個人識別子とを備え、
前記個人識別子は、エリア内の車両または作業機械を警告する警報デバイスを含み、
前記警報ユニットは、エリア内の移動ユニットを警告する警報装置を含み、
前記方法において、
前記車両識別子および／または前記個人識別子は、前記車両識別子と前記個人識別子との間で送信される少なくとも１つの信号に基づいて、前記車両識別子と前記個人識別子との間の距離を決定するステップと、
前記車両識別子は、前記車両識別子と前記個人識別子との間の決定された距離が前記車両識別子に対して予め定められた閾値未満である場合に、前記警報装置を作動させるステップと、
前記個人識別子は、前記車両識別子と前記個人識別子との間の決定された距離が前記個人識別子に対して予め定められた閾値未満である場合に、前記警報デバイスを作動させるステップとを含み、
前記安全システムは、
無線通信可能な対向無線機をさらに備え、
前記対向無線機は球面信号をブロードキャストするように構成され、
前記個人識別子は、前記個人識別子と前記対向無線機との間で送信される少なくとも１つの信号に基づいて、前記個人識別子と前記対向無線機との間の距離を決定するように構成され、
前記個人識別子は、前記個人識別子と前記対向無線機との間の決定された距離が、前記対向無線機に対して予め定められた閾値未満である場合に、前記信号の送信および前記警報装置の作動を中断するように構成される方法。
【発明の詳細な説明】
【技術分野】
【０００１】
本発明は、安全システムおよび安全システムを動作させるための方法に関する。
【背景技術】
【０００２】
製造工場および倉庫内の交通は、しばしば活発であるが、交通安全は通常不十分である。また、ガイドおよびマーキングされてないルートが変化すると、コミュニケーションに問題が生じ、職場での安全性が損なわれる。車両および作業機械は、例えば、通常、逆転時に自動的に作動する警報装置として、バックアップブザーを有することができる。作業機械のルーフの上部には、人々または他の交通がある場所で作業機械が移動しているときに、黄色の点滅光を発する警告灯を有する。
【発明の概要】
【発明が解決しようとする課題】
【０００３】
これら従来技術の警報装置の欠点は、例えば、バックアップブザーが、特に、人々が聴覚保護具を着用している場合に、工業工場内で必ずしも聞こえるとは限らないことである。作業機械のルーフの上部にある警告灯の光は、コーナを回って届かず、同時に異なる方向から通路の交差点に近づいた場合に、警報を出すことができない。従来の警報装置のさらなる問題は、警報装置が発する黄色の光が、清掃機械または他の作業機械の黄色の警告灯と混同され易いことである。
【０００４】
本発明の目的は、上述の問題を解決するための方法および装置を提供することである。本発明の目的は、独立請求項に開示されていることにより特徴付けられる方法およびシステムにより達成される。本発明のいくつかの好ましい実施形態は、従属請求項に開示される。
【課題を解決するための手段】
【０００５】
本発明は、安全システムに基づくものであって、移動車両または作業機械に配置され、無線通信が可能な車両識別子と、無線通信に動作可能に接続された警報および移動ユニット接続されて配置され、無線通信が可能な個人識別子とを含み、識別子は、エリア内を移動するユニットを警報する警報装置のための警報デバイスを含む。安全システムの車両識別子および／または個人識別子は、車両識別子と個人識別子との間で送信される少なくとも１つの信号に基づいて、車両識別子と個人識別子との間の距離を決定するように構成される。車両識別子は、車両識別子と個人識別子との間の決定された距離が車両識別子に対して予め定められた閾値未満である場合に、警報装置を動作させるように構成され、個人識別子は、車両識別子と個人識別子との間の決定された距離が個人識別子に対して予め定められた閾値未満である場合に、警報デバイスを動作させるように構成される。
【０００６】
本発明の方法およびシステムの利点は、エリア内の人および車両が受信するための他の車両から所定の距離で信号を送信することができる信号送信機を備え、エリア内でその存在を示すことができることである。このエリアで移動する他の人々は、近くに他の動きがあることも考慮に入れることができる。安全システムは、フォークリフトおよび他の車両を検出し、それらを歩行者と区別することができ、無線リンク上の衝突の危険性を機械の運転手および人々に警告することができる。これにより、作業環境の一般的な外観を安定して維持し、突然の破壊の量を減らし、運転手が目標物に配送することに集中することができる。さらに、近くの交通の警告が異なる警報デバイスの手段により提供される場合、歩行者の安全性が大幅に改善される。
【０００７】
さらに、人々が安全に滞在するための安全区域は、製造工場および倉庫において規定することができる。安全区域では、個人が携帯している警報デバイスが自動的にオフになる。これにより、人々は、警報デバイスの光が点滅しておらず、音声信号がオフになっている場所を探し求めているので、安全性がさらに向上する。安全システムは、移動する車両またはそれらに接近する作業機械のために自動的に開かれる異なるドアも可能にする。さらに、個人には、ドアを開くための遠隔識別子を有する個人識別子を設けてもよい。接近する車両または作業機械は、到着する車両の前方または後方の適切な距離に光の鮮明なパターンとして提供されるように、警報を配置することにより、効果的に検出することもできる。このタイプの照明器具は、導入するのに非常に手頃な価格である。例えば、赤外線（ＩＲ）識別子、レーダタイプのデバイスまたはカメラ検出を有する装置は、エリア内の人々の検出をさらに改善し、確実にする。また、人、車両および作業機械の動きを測位システムにより監視することも可能である。得られた情報に基づいて、個人および機械が最も頻繁に遭う場所を見つけ、危険性の高い場所の安全計画を作成するのは容易である。
【０００８】
本発明は、ここで、好ましい実施形態および添付の図面を参照してより詳細に説明される。
【図面の簡単な説明】
【０００９】
【図１】本発明の装置を備えた作業機械を示す。
【図２】警告光を発して、警告信号を送信するユニットを示す。
【図３】図２のユニットを後方から見た図を示す。
【図４】一実施形態に係る安全システムを示す。
【図５】一実施形態に係る安全システムの図である。
【図６】一実施形態に係る信号経路図である。
【図７】一実施形態に係る安全システムの図である。
【図８】一実施形態に係る対向無線の動作を示す図である。
【図９】一実施形態に係る安全システムの図である。
【図１０】一実施形態に係る安全システムの図である。
【図１１】一実施形態に係る方法を示す。
【発明を実施するための形態】
【００１０】
図１は、主として作業エリアおよび倉庫ならびに工業工場の通路に使用されるフォークリフトである作業機械１を示しており、それが運ぶ荷物はしばしば運転中に運転者にとってかなり大きな目に見える障害を形成する。本発明によれば、作業機械は、警告灯を発し警報音を発するために、正面と背面の両方に適切な高さでユニット２を設置する。必要に応じて、例えば、作業機械１が移動しているときに、前記ユニット２は、作業機械から約３〜６メートルの距離まで、鋭い光ビーム３および光ビーム４を床に放射する。光は、最も好ましくは、例えば、青および赤のように着色されており、それらが床から離れていることを確認する。この目的のために、ユニット２には、レンズ６およびレンズ７（図２）が設けられており、例えば、床に形成された鮮明な色で容易に識別可能な楕円形のパターンを可能にする。
【００１１】
図２に示すユニット２は、最も好ましくは、同時にではなく、レンズ６およびレンズ７を介して床上の作業機械から異なる色の光パターンを放射するように向けられる。例えば、青色光は、レンズ６を介して放射され、赤色光は、レンズ７を介して放射される。ユニット２の中央には、遠方から人の存在を検出するための赤外線識別器５があり、同様に、他の車両は、その熱効果のために検出することができる。レーダタイプのデバイスまたは画像認識によるカメラ検出を検出のために使用することもできる。検出器により行われる検出は、車両に接続されたユニット２のブザー９および黄色の警告灯８（図３）を作動させるように構成される。
【００１２】
図３は、ユニット２を後方から示し、ランプ８は、黄色の点滅光を発し、中央では、ブザー９が、警告信号を送信して、この側に設けられている。
【００１３】
一実施形態では、他の車両、作業機械１またはそのエリア内を移動する人には、例えば、所定の距離で、作業機械１内の送信機からコールに応答するように、または、少なくとも所定の距離から作業機械内の受信機ユニット到達するように信号を送信するように構成された信号送信機が設けられており、これにより、作業機械の運転手に前記他の車両またはその近傍の人の存在を示す。
【００１４】
作業機械１が、そのエリア内に人または他の車両の存在を示す信号を受信すると、警報装置は、ブザー９または警告灯８などの警報を動作させて、作業機械の運転手に警告する。
【００１５】
一実施形態は、建物内を主に移動する車両または作業機械１内に配置された警報装置を含み、運転手、エリア内を移動する人々に警告し、警報装置は少なくとも警告灯を発し、警告音を発するユニット２を含む。警報装置は、少なくとも車両が移動しているときに、車両が接近または離れていることを示すために、車両の前方および／または後方の床に向けられた着色された光のパターンを放射するように構成される。一実施形態では、前記車両には、その前面および／または背面に異なる色の光を放射するユニット２が設けられている。ユニット２は、赤外線（ＩＲ）検出器５、レーダまたは所定の距離で動作するカメラ作動検出器を含み、前記距離内の人または車両の存在を検出することができ、前記検出は、ブザー９および車両に接続された黄色の警告灯８を動作させるように構成される。
【００１６】
一実施形態では、エリア内を移動する他の車両または人には、車両内の送信機から所定の距離の呼び出しに応答するように、または少なくとも所定の距離から車両の受信ユニットに到達するように信号を送信するように構成された信号送信機が設けられており、したがって、他の車両または人が近傍に存在することを示す。車両内のユニットがそのエリア内に人または他の車両が存在することを示す信号を受信すると、ブザー音または警告灯のような警告装置から警報を発して、運転手に警告をすることができる。
【００１７】
図４は、移動車両または作業機械１に配置され、かつ無線通信可能な車両識別子１０と、車両識別子１０との動作接続で配置され、かつ無線通信可能な警報ユニット２０とを含む安全システムを示す。１つまたは複数の警報ユニットが設けられてもよく、それらはフォークリフトのような作業機械１の前面および／または背面に配置されてもよい。警報ユニット２０は、作業機械１の内部、例えば、制御パネルの近く、または警報状況において運転手が容易に監視できる他の適切な場所に配置することができる。安全システムは、移動ユニットに配置され無線通信可能な個人識別子３０も含み、個人識別子３０は、エリア内の車両または作業機械１の警告のための警報デバイス３２を含む。移動ユニットは、車両、作業機械１または人を含むことができる。個人識別子３０は、例えば、仕事着のポケットの中にまたは別の輪どめで、作業服にすぐに取り付けることができる。
【００１８】
図４は、交差点に近づくフォークリフトのような作業機械１、および交差点付近に移動する２人を示す。作業機械１から見ると、両方の人がコーナの後ろにいるので、作業機械１の運転手は、それを見ることができず、それに応じて、その人々は、接近する作業機械１を見ることができない。製造工場または倉庫は、非常に騒々しいか、または人々が、聴覚保護具を装着している可能性があり、そのために接近する作業機械１の音を聞くことができず、コーナの後ろから出てきたときに、危険な状況を引き起こす可能性がある。これらの人々は、車両識別子１０と通信し、接近している作業機械の警告を提供するために、音声信号、振動および／または光効果を発することができる個人識別子３０を携行している。図４では、個人識別子３０は、人の肩に取り付けられ、黒色の矩形として示される。個人識別子３０の拡大図３０ａが人の前に示される。
【００１９】
図５は、一実施形態に係る安全システムの図である。安全システムは、車両識別子１０、警報ユニット２０および個人識別子３０を含む。車両識別子１０は、車両または作業機械１に配置されてもよく、上述の送信機および受信ユニットのような通信手段４０を含んでもよい。エリア内に複数の移動車両または作業機械１がある場合には、複数の車両識別子１０を提供することができ、それらは互いに通信することができる。通信手段４０は、少なくともデータを受信するように構成されているが、好ましくは、車両識別子１０から警報ユニット２０、個人識別子３０、他の車両識別子１０、または他のデバイスのいずれかにデータを送信するように構成されている。その最も単純な形態では、通信手段４０は、データが電圧の変化として表されるツインケーブルであってもよい。通信手段４０は、好ましくは、他の車両識別子１０、警報ユニット２０、個人識別子３０または他の装置のような外部デバイスと通信することができる無線トランシーバである。無線接続は、様々な方法、周波数およびプロトコルを使用して実施することができ、転送されるデータ量が非常に少ないため、最終結果の重要性は小さくなる。電波に加えて、無線通信手段４０を介した通信は、例えば、音、光、または他の何らかの無線手段に基づいてもよい。
【００２０】
無線通信手段４０を含む車両識別子１０は、車両識別子１０が必要とする電力をそこから引き出すエネルギー源５０を有する。エネルギー源５０は、例えば、エネルギーを受け取る移動車両または作業機械１への接続、またはアキュムレータ、使い捨てバッテリ、エネルギーハーベスタおよび／または他のエネルギー源とすることができる。車両識別子１０は、異なるデバイス間を移動するデータを処理することを可能にするプロセッサ６０を含むこともできる。プロセッサ６０は、異なるデバイス間の距離を計算するように構成することができ、それにより、例えば、異なるデバイス間の信号伝搬距離を測定することができる。
【００２１】
１つまたは複数の警報ユニット２０が設けられてもよく、それらは、他の車両または人がエリア内にいるときに、作業機械の運転手に警告するために、例えば、ブザーまたは警告灯のような警告を提供する、上述の警報装置として警報装置２２を含んでもよい。警報ユニット２０は、典型的には、車両識別子と同じ車両または作業機械１内に配置される。警報装置２２は、照明要素２４および／または音要素２６を含むことができる。照明要素２４は、警告灯８のような光源を含むことができる。さらに、照明要素２４は、１つまたは複数のパターン化されたレンズ６、７を含むことができる。音要素２６は、警報音を発生するブザー９または何らかの他の音発生デバイスを含むことができる。特に、多くの交通がある場合に、一定のブザー音が運転手を妨害し得るので、音要素２６は、必須ではない。警報ユニット２０は、通信手段４０およびエネルギー源５０を含むこともでき、その機能は、車両識別子１０の通信手段４０およびエネルギー源５０と同様であってもよい。車両識別子１０および警報ユニット２０は、物理的に別個のユニットであってもよく、通信手段４０を介して互いに通信してもよい、あるいは、それらは、同じデバイス内に存在してもよい。
【００２２】
エリア内の交通量および人員に応じて、１つまたは複数の個人識別子３０を提供することができる。個人識別子３０は、上述した警報デバイスに類似することができ、ブザーまたは警告灯のような警報を動作させることができる警報デバイス３２を含むことができ、エリア内の移動車両または作業機械１の人のような移動ユニットに警告することができる。警報デバイス３２は、照明要素３４および音要素３６を含むことができる。照明要素３４は、警告灯８のような光源を含むことができる。音要素３６は、警報音を発生するブザー９を含むことができ、または、例えば、振動を発生することができる。個人識別子３０は、通信手段４０およびエネルギー源５０を含むこともでき、その機能は、車両識別子１０または警報ユニット２０の通信手段４０およびエネルギー源５０と同様であることができる。さらに、個人識別子３０は、異なるデバイス間の信号伝搬時間を測定することにより、異なるデバイス間の距離、例えば、個人識別子３０から車両識別子１０までの距離を計算するように構成されたプロセッサ６０を含むことができる。
【００２３】
車両識別子１０および個人識別子３０は、車両識別子１０と個人識別子３０との間で送信された少なくとも１つの信号に基づいて、車両識別子１０と個人識別子３０との間の距離を決定するように構成される。個人識別子３０は、無線充電ユニットで充電されてもよく、それは、エリア内を移動する人の衣服に取り付けられてもよい。基本モードでは、個人識別子３０および車両識別子１０は、信号を連続的にブロードキャストすることができる。一実施形態では、車両識別子１０は、車両または作業機械が動作しているときに信号を連続的にブロードキャストするように構成され、信号送信は車両または作業機械１が始動したときに始まる。他の実施形態では、車両識別子１０は、車両または作業機械１が移動しているときに、信号を連続的にブロードキャストするように構成され、信号送信は、車両がギアに入ったときに開始する。車両識別子１０および個人識別子３０が送信に使用される場合に、信号の動作範囲は調整されてもよく、例えば、屋内では０と４０メートルとの間、屋外では０と２００メートルとの間で変化してもよい。
【００２４】
一実施形態では、車両識別子１０と個人識別子３０との間の距離は、個人識別子３０が近傍の車両識別子１０を検索するように決定される。個人識別子３０が車両識別子１０から信号を受信すると、メッセージの交換が行われ、車両識別子１０は、個人識別子３０へ測定された距離を通知する。距離は、信号伝搬時間を測定することにより決定される。測定された距離が個人識別子および車両識別子について決定された閾値よりも小さい場合に、警報装置２２および警報デバイス３２の両方で警告が作動される。しかしながら、いずれかの閾値に達していない場合には、両方の検出器は、同時にオンされない。
【００２５】
図６は、一実施形態に係る信号経路図である。それは、個人識別子３０（ＨＴ）が、車両識別子１０（ＡＴ）から信号５００を受信し、その結果、個人識別子３０は、信号５１０を車両識別子１０に送信することを示す。信号５１０を受信すると、車両識別子１０は、車両識別子１０と個人識別子３０との間で送信される少なくとも１つの信号に基づいて、車両識別子１０と個人識別子３０との間の距離を決定５２０するように構成される。これは、信号の出力時間および受信時間のような受信信号５１０に提供されたデータに基づいて、距離を計算するように５２０車両識別子１０のプロセッサ６０を構成することにより、または他の何らかの適切な手段により実施することができる。次に、車両識別子１０は、応答信号５３０を個人識別子３０に送信し、応答信号５３０は、車両識別子１０と個人識別子３０との間の距離の値を含む。個人識別子３０は、応答信号５３０を車両識別子１０から受信する。個人識別子３０は、車両識別子１０と個人識別子３０との間の決定された距離が、個人識別子について予め定められた閾値未満である場合に、警報デバイス３２を作動するように５４０構成される。同時に、車両識別子１０も、車両識別子１０と個人識別子３０との間の決定された距離が、車両識別子について予め定められた閾値未満である場合に、警報装置２２を作動するように構成される。作動は、車両識別子１０が信号５５０を警報ユニット２０（ＨＹ）に送信することによって実施され、警報装置２２を作動させる５６０。車両識別子１０および個人識別子３０の閾値は、場合によっては特定されてもよく、それらは等しくなくてもよい。例えば、人が、移動車両または作業機械１から１０メートルにいる場合に、警報装置２２が作動され、例えば、警告灯８が作動される。その結果、運転手は、近くに歩行者がいることを理解し、減速する。移動車両または作業機械１が、例えば、人から５メートルのところにあるとき、個人識別子３０の警報デバイス３２が作動され、その結果、警告灯８またはブザー９が作動され、または個人識別子３０が振動する。したがって、人は、近くに作業機械１があり、環境にもっと注意を払うことを理解する。一実施形態では、車両識別子１０および／または個人識別子３０は、車両識別子１０と個人識別子３０との間で送信される２つ以上の信号に基づいて、車両識別子１０と個人識別子３０との間の距離を決定するように構成される。測距に適用可能な他の方法を用いてもよい。
【００２６】
図７は、一実施形態に係る安全システムの図である。図７は、図６のものに対応し、さらに対向無線機７０を含む安全システムを示す。対向無線機７０は、通信手段４０およびエネルギー源５０を含み、その機能は車両識別子１０、警報ユニット２０、または個人識別子３０の通信手段４０およびエネルギー源５０と同様であることができる。対向無線機７０の助けを借りて、屋外、屋内、例えば、製造工場または倉庫内に安全ゾーンを設けることができ、個人識別子３０の警報デバイス３２を移動車両または作業機械１の近くで作動させることなく、安全に存在することができる。これらのエリアの例には、エリア内のオフィス構内、フェンスエリアなどが含まれる。対向無線機７０が個人識別子３０から所定の距離にあるとき、個人識別子は警報デバイス３２を作動させず、同時に、車両識別子１０への信号の送信を停止し、したがって、車両識別子１０は、警報装置２２を作動させない。これにより、光およびブザーの不要な作動を減らすと同時に、人が安全ゾーン内の対向無線機７０に近づくように促し、同時に、そのエリア内を移動する全ての人の安全を高める。一実施形態では、個人識別子３０および／または対向無線機７０は、個人識別子３０と対向無線機７０との間で送信される少なくとも１つの信号に基づいて、個人識別子３０と対向無線機７０との間の距離を決定するように構成される。個人識別子３０は、個人識別子３０と対向無線機７０との間の決定された距離が所定の閾値未満である場合に、信号の送信および警報デバイス３２の作動を中断するように構成される。対向無線機の閾値は、場合によっては決定されてもよいが、例えば、０から１０メートルまでであってもよい。
【００２７】
図８は、対向無線機７０の動作を示す。図８では、人は、フェンスにより画定され、破線で示された安全ゾーン内にいる。この図は、対向無線機７０が、例えば、３または５メートルの半径内で球面信号７１をブロードキャストしていることを示す。個人識別子３０と対向無線機７０との間の決定された距離が所定の閾値未満である場合に、個人識別子３０は、車両識別子１０に信号を送信しないので、個人識別子３０の警報デバイス３２は作動されず、車両識別子１０にも信号を送信しない。この場合、警報システムは、オンにされず、運転手は、中断することなく作業を継続することができ、また、点滅する光または警報音がない場合には、安全ゾーンにいる人にとってより便利である。
【００２８】
図９は、一実施形態に係る安全システムの図である。図９は、図８のものに対応する安全システムを示しており、さらに、無線通信可能なセンサ８０を含む。センサ８０は、上向きのドアのようなドアに接続して配置することができ、移動車両または作業機械１がドアから所定の距離にあるとき、ドアを開くように構成することができる。センサ８０は、通信手段４０およびエネルギー源５０を含み、その機能は、車両識別子１０、警報ユニット２０、または個人識別子３０内の通信手段４０およびエネルギー源５０と同様であってもよい。さらに、センサ８０は、異なるデバイス間の信号伝搬時間を測定することにより、異なるデバイス間の距離を計算するように構成されたプロセッサを含むことができる。一実施形態では、車両識別子１０および／またはセンサ８０は、車両識別子１０とセンサ８０との間で送信される少なくとも１つの信号に基づいて、車両識別子１０とセンサ８０との間の距離を決定するように構成される。センサ８０は、車両識別子１０とセンサ８０との間の距離がセンサに対して予め定められた閾値未満である場合に、ドアの開放を作動させるように構成される。
【００２９】
一実施形態では、センサ８０が近傍の車両識別子１０を検索するように、車両識別子１０とセンサ８０との間の距離が決定される。センサ８０が車両識別子１０から信号を受信すると、車両識別子１０がセンサ８０へ測定された距離を通知するメッセージの交換が行われる。距離は、信号伝搬時間を測定することにより決定される。距離は、センサ８０が車両識別子１０から信号を受信すると、車両識別子１０に信号を送信し、車両識別子１０がデバイス間の距離を計算し、その結果をセンサ８０に送信するように、距離を決定することができる。測定された距離がセンサの閾値よりも小さい場合に、センサ８０は、ドアの開口部を作動させる。一実施形態では、センサ８０は、そのプロセッサを使用して、車両識別子１０とセンサ８０との間の距離を計算することもできる。
【００３０】
図１０は、一実施形態に係る安全システムの図である。図１０は、図９のものに対応する安全システムを示し、さらに、遠隔識別子の読み取り装置９０、および個人識別子３０に設置され、無線通信可能な遠隔識別子３８を含み、遠隔識別子は、遠隔識別子が遠隔識別子読み取り装置９０の近くに置かれたときに、ドアまたは他の何らかのロックを行うことができるように構成される。一実施形態では、遠隔識別子はＲＦＩＤタグであり、遠隔識別子の読み取り装置は、ＲＦＩＤ読み取り装置である。遠隔識別子３８およびその読み取り装置９０の助けを借りて、個人識別子３０は、これらの機能のために、別個のオープナが必要ないように、ドアおよび他の錠を開けるためにも使用され、人がそのエリアを移動しやすくする。一実施形態では、安全システムは、車両識別子１０、警報ユニット２０、および個人識別子３０と、対向無線機７０、センサ８０、遠隔識別子３８、および遠隔識別子読み取り装置９０のうち少なくとも１つを含む。
【００３１】
一実施形態では、安全システムは、無線通信可能な少なくとも３つの基地局をさらに含み、基地局と車両識別子１０および／または個人識別子３０との間で送信される少なくとも１つの信号に基づいて、車両識別子１０および／または個人識別子３０の位置データを決定するように構成される。位置データは、三角測定または他の適切な測定方法を適用することにより決定することができる。一実施形態では、少なくとも１つの基地局は、車両識別子１０および／または個人識別子３０の位置データをサーバに送信するように構成される。基地局は、例えば、ローカルエリアネットワーク（ＬＡＮ）、電話ネットワークのような無線ネットワーク、クラウドサービス、またはデータをサーバに転送するためのインターネットに接続することができる。車両識別子１０および個人識別子３０の位置データは、そのエリア内の人、車両および／または作業機械１の動きを監視するために使用されてもよい。１日の間に、例えば、人と車両との間の多数の遭遇が観察された場合に、車両および人のルートは、安全性を高めるように再設計されてもよい。
【００３２】
一実施形態では、安全システムの車両識別子１０は、有線および／または無線接続を確立し、以下のうち少なくとも１つからデータを送信または受信するように構成された通信手段４０を含む。警報ユニット２０、個人識別子３０、対向無線機７０およびセンサ８０。
【００３３】
一実施形態では、安全システムの警報ユニット２０は、有線および／または無線接続を確立し、少なくとも車両識別子１０との間でデータを送受信するように構成された通信手段４０を含む。
【００３４】
一実施形態では、安全システムの個人識別子３０は、無線接続を確立し、以下のうち少なくとも１つとのデータの送受信するように構成された通信手段４０を含む。車両識別子１０、対向無線機７０および遠隔識別子読み取り装置９０。
【００３５】
図１１は、安全システムを作動させる方法を示す。この安全システムは、移動車両または作業機械１に配置され、無線通信可能である、車両識別子１０を含み、その動作接続部に配置された警報ユニット２０を含み、移動ユニットに関連して配置され、無線通信可能な、個人識別子３０を含む。個人識別子３０は、エリア内の車両または作業機械の警告を発する警報デバイス３２を含み、警報ユニット２０は、エリア内を移動するユニットを警告する警報装置２２を含む。
【００３６】
この方法において、車両識別子１０および／または個人識別子３０は、車両識別子１０と個人識別子３０との間で送信される少なくとも１つの信号に基づいて、車両識別子１０と個人識別子３０との間の距離を決定する１１０。車両識別子１０は、車両識別子１０と個人識別子３０との間の決定された距離が、車両識別子に対して予め定められた閾値未満である場合に、警報装置２２を作動させる１１２。個人識別子３０は、車両識別子１０と個人識別子３０との間の決定された距離が、個人識別子に対して予め定められた閾値未満である場合に、警報デバイス３２を作動させる１１４。
【００３７】
本発明に係る安全システムは、例えば、倉庫または産業施設において、屋内で使用することができるが、屋外での使用にも適している。
【００３８】
当業者であれば、技術の進歩として、本発明の基本的な考え方は、様々な方法で実施することができることは明らかである。したがって、本発明およびその実施形態は上記の例に限定されず、特許請求の範囲内で変更することができる。
【図１】
0006587744.tif 000002
【図２】
0006587744.tif 000003
【図３】
0006587744.tif 000004
【図４】
0006587744.tif 000005
【図５】
0006587744.tif 000006
【図６】
0006587744.tif 000007
【図７】
0006587744.tif 000008
【図８】
0006587744.tif 000009
【図９】
0006587744.tif 000010
【図１０】
0006587744.tif 000011
【図１１】
0006587744.tif 000012